(57)【要約】  送風機は、ノズル及び該ノズルを通る一次空気流を生成する手段を備える。ノズルは、一次空気流を噴出するマウス部を備え、ノズルは、マウスから噴出される一次空気流によって、送風機の外側の二次空気流がそこを通って引き込まれ、二次空気流が一次空気流と合体して合体空気流を生成するボアを規定する。ユーザが合体空気流の少なくとも１つのパラメータ、例えば、プロフィール、方位、及び方向の少なくとも１つを調節できるように、送風機は、ノズルのボア内に少なくとも部分的に配置可能なインサートを備える。送風機は、このインサートのセットを備えることができる。【選択図】      図２
2013545008.tif 000002
【特許請求の範囲】
【請求項１】
ノズル及び該ノズルを通る一次空気流を生成する手段を備える送風機において、前記ノズルは、前記一次空気流を噴出する少なくとも１つの出口を備えるとともに、前記少なくとも１つの出口から噴出される前記一次空気流によって、前記送風機の外側からの二次空気流がそこを通って引き込まれ、前記二次空気流が前記一次空気流と合体して合体空気流を生成するボアを規定し、
前記ノズルの前記ボア内に少なくとも部分的に配置可能であり、前記合体空気流の少なくとも１つのパラメータを調節するインサートを備えることを特徴とする送風機。
【請求項２】
前記インサートは、前記ノズルの前記ボア内で回転可能である、請求項１に記載の送風機。
【請求項３】
前記インサートは、環状形状である、請求項１又は２に記載の送風機。
【請求項４】
前記インサートは、前記ノズルの前端部の上に配置可能なリムを備える、請求項１から３のいずれかに記載の送風機。
【請求項５】
前記インサートは、後端部に向かってテーパ付けされる、請求項１から４のいずれかに記載の送風機。
【請求項６】
前記インサートは、前記インサートが前記ノズル内に配置される場合、前記少なくとも１つの出口から噴出される前記一次空気流によって、前記送風機の外側からの前記二次空気流がそこを通って引き込まれるボアを規定する表面を備える、請求項１から５のいずれかに記載の送風機。
【請求項７】
前記インサートが前記ノズル内に配置される場合、前記インサートのボアは、前記ノズルのボアと実質的に同軸である、請求項６に記載の送風機。
【請求項８】
前記インサートが前記ノズル内に配置される場合、前記ノズルの少なくとも１つの出口は、前記インサートのボアを通る前記一次空気流を案内するようになっている、請求項６又は７に記載の送風機。
【請求項９】
前記表面は、軸線の周りに延びる、請求項６から８のいずれかに記載の送風機。
【請求項１０】
前記表面の少なくとも一部は、前記軸線に対して傾斜している、請求項９に記載の送風機。
【請求項１１】
前記表面の前記少なくとも一部が前記軸線に対して傾斜する角度は、前記軸線の周りで変化する、請求項１０に記載の送風機。
【請求項１２】
前記表面の前記少なくとも一部が前記軸線に対して傾斜する角度は、前記軸線の周りで連続的に変化する、請求項１０又は１１に記載の送風機。
【請求項１３】
前記表面は、前記軸の周りで連続する、請求項６から１２のいずれかに記載の送風機。
【請求項１４】
前記インサートは、前記ノズルのボア内に同時に配置できる複数の相互連結セクションを備える、請求項１から４のいずれかに記載の送風機。
【請求項１５】
前記セクションは、実質的に同じ形状である、請求項１４に記載の送風機。
【請求項１６】
前記セクションは、実質的にくさび形である、請求項１４又は１５に記載の送風機。
【請求項１７】
前記セクションは、前記軸の周りに配置される、請求項１４から１６のいずれかに記載の送風機。
【請求項１８】
前記セクションは、前記軸線の周りに一定の間隔で離間されている、請求項１７に記載の送風機。
【請求項１９】
前記セクションの各々は、前記軸線に対して傾斜した表面を備える、請求項１４から１８のいずれかに記載の送風機。
【請求項２０】
前記ノズルの少なくとも１つの出口は、前記一次空気流を、前記インサートの前記セクションの表面上へ向けるように構成される、請求項１９に記載の送風機。
【請求項２１】
前記合体空気流の少なくとも１つのパラメータは、前記合体空気流のプロフィール、方位、方向、流量、及び速度のなかの少なくとも１つを備える、請求項１から２０のいずれかに記載の送風機。
【請求項２２】
前記ノズルの少なくとも１つの出口は、前記軸線の周りに延びる、請求項１から２１のいずれかに記載の送風機。
【請求項２３】
前記ノズルの少なくとも１つの出口は、スロットの形態である、請求項１から２２のいずれかに記載の送風機。
【発明の詳細な説明】
【技術分野】
【０００１】
本発明は、送風機に関する。特に、限定されるものではないが、本発明は、机上型、タワー型、又は台座型送風機のような床上又は卓上送風機組立体に関する。
【背景技術】
【０００２】
従来の家庭用送風機は、通常、軸線の周りで回転するように取り付けられたブレードセット又はベーンセットと、ブレードセットを回転させて空気流を発生させる駆動装置とを備える。空気流の移動及び循環が「風冷」又は微風を引き起こし、結果的に、ユーザは、対流及び蒸発により熱が放散する際に冷却効果を体感する。一般的に、ブレードは、ケージ内に配置されており、ユーザが送風機の使用中に回転ブレードに接触するのを防止しながら、空気流がハウジングを通過することが可能になっている。
【０００３】
国際公開第２００９／０３０８７９号には、送風機組立体から空気を放出するためにケージブレードを使用しない送風機組立体が開示されている。送風機組立体は、代わりに、一次空気流を基部に引き込むモータ駆動式インペラを収容する円筒形基部と、該基部に連結され一次空気流が通って送風機から噴出される環状マウス部を含む環状ノズルとを備える。ノズルは、送風機組立体の局部的環境の空気がマウス部から噴出される一次空気流によって引き込まれる開口部を規定し、一次空気流を増幅する。ノズルは、コアンダ面を含み、マウス部はコアンダ面上に一次空気流を向けるように構成されている。コアンダ面は、開口部の中心軸の周りを対称に延び、送風機組立体が発生する空気流は、円筒形又は切頭円錐形プロフィールを有する環状噴流の形態である。
【先行技術文献】
【特許文献】
【０００４】
【特許文献１】国際公開第２００９／０３０８７９号
【発明の概要】
【課題を解決するための手段】
【０００５】
第１の態様において、本発明は、ノズル及び該ノズルを通る一次空気流を生成する手段を備える送風機を提供する。ノズルは一次空気流を噴出する少なくとも１つの出口を備え、ノズルは、少なくとも１つの出口から噴出される一次空気流によって、送風機の外側から二次空気流がそこを通って引き込まれ、二次空気流が一次空気流と合体して合体空気流を生成するボアを規定する。ユーザが合体空気流の少なくとも１つのパラメータを調節可能とするために、送風機はノズルのボア内に少なくとも部分的に配置可能なインサートを備える。
【０００６】
合体空気流の少なくとも１つのパラメータは、例えば、合体空気流のプロフィール、方位、方向、流量（例えば、１秒当たりのリットルで測定する）、及び速度のなかの少なくとも１つを含むことができる。従って、ノズルのボア内にインサートを配置することで、ユーザは、合体空気流が送風機から前方に放出される方向、例えば、送風機の近くの人に向かう又はこれから離れる空気流の角度を調節できる。代替的に又は追加的に、インサートは、合体空気流のプロフィールを拡大又は制限して、空気流路内のユーザ数を増加又は低減することができる。別の代替案として、インサートは、空気流の向きを変更することができ、多くのユーザを涼しくする比較的広い空気流を提供するようになっている。
【０００７】
インサートは、ノズルのボア内で移動可能とすることができ、例えば、ユーザは、合体空気流が送風機から前方へ放出される方向を速やかに変更することができる。例えば、インサートは、ノズルのボア上を及び／又はこれに沿って摺動することができ、又はインサートは、ノズルのボア内で回転することができる。ノズルは、ボアに対するインサートの移動を案内する手段を含むことができる。
【０００８】
インサートは、空気流を所望の方法で変更するのに適した任意の形状を有することができる。例えば、インサートは、ノズルのボア内に配置できる１つ又はそれ以上のセクションを備えることができ、このセクションは、合体空気流を特定の方向に、例えば、送風機の片側の人に向けて又はこの人から離れるように偏向するようになっている。１つの実施形態において、インサートは、ノズルのボア内に同時に配置可能な複数の相互連結可能なセクションを備える。これらのセクションは実質的に同じ形状とすること、又は異なる形状とすることができる。このセクションは、ノズルの後端部に向かってテーパ付けされたくさび形とすることができる。このセクションは軸線の周りに配置できる。インサートがノズル内に配置される場合、インサートは、好ましくは、ノズルの軸線と実質的に同軸である。セクションは、軸線の周りで一定の間隔で又は不規則に離間することができる。
【０００９】
インサートは、ノズルのボア内に部分的に配置することができ、例えば、インサートの一部がノズルの前端部から前方へ突出して、合体空気流の一部又は全てを特定の方向へ案内する。もしくは、インサートは、実質的に完全にノズルのボア内へ配置することができる。ノズルのボアは、好ましくは、ボアの前端部に向かって外側へテーパ付けされるので、インサートは、好ましくは、ノズルの前端部からボアへ挿入される。インサートは、環状形状とすることができる。インサートは、ノズルの前端部の上に配置可能なリムを備えることができ、インサートをノズルのボア内で保持するようになっている。
【００１０】
ノズルの少なくとも１つの出口は、ノズルの後部に面して配置することができ、ノズルのボアを通る一次空気流を噴出するように構成される。前述したように、ノズルは、好ましくは、ノズルのボアを規定する表面を備え、少なくとも１つの出口は、好ましくは、一次空気流をノズルの表面上へ向けるように構成されている。好ましくは、その上に一次空気流を向けるように少なくとも１つの出口が配置される表面は、コアンダ面を備える。コアンダ面は、隣接する出口オリフィスから流出する空気流がその上でコアンダ効果を発揮する公知の形式の表面である。流体はコアンダ面上に接近して、ほぼコアンダ面に「くっついて」又は「沿って」流れる傾向がある。コアンダ効果は、文献で十分に証明された同伴方法であり、一次空気流はコアンダ面の上に向けられる。コアンダ面の機能及びコアンダ面上の流体の作用に関する記載は、Ｒｅｂａ著「Ｓｃｉｅｎｔｉｆｉｃ  Ａｍｅｒｉｃａｎ」、２１４巻、１９６６年６月、８４から９２ページの文献に見出すことができる。コアンダ面を使用することで、ノズルから噴出される空気によって、送風機の外側から増量した空気がボアを通って引き込まれる。
【００１１】
好ましい実施形態において、空気流は、送風機のノズルを介して生成される。以下の記載では、この空気流は一次空気流と呼ぶ。一次空気流は、ノズルの少なくとも１つの出口から噴出され、好ましくは、コアンダ面の上を通る。一次空気流は、ノズルを取り囲む空気を同伴し、これは一次空気流及び同伴空気をユーザに供給する空気増幅部として作用する。同伴空気は本明細書では二次空気流と呼ぶ。二次空気流は、マウスを取り囲む室内空間、領域、又は外部環境から、及び置換により送風機の周りの他の領域から引き込まれ、主としてノズルが規定するボアを通って流れる。コアンダ面の上に向けられ、同伴された二次空気流と合体される一次空気流は、ノズルのボアの前端部から前方へ放出又は噴出される合体又は総体空気流と同じである。
【００１２】
コアンダ面は、少なくとも１つの出口の下流に配置されたディフューザ部を備えることができる。ディフューザ部は、好ましくは、軸線の周りに延び、好ましくは、軸線に向かって又はこれから離れるようにテーパ付けされている。
【００１３】
インサートは、好ましくは、ノズルのコアンダ面の少なくとも一部を覆い、ノズルのボア内へ挿入可能なマスクの形態で設けることができる。インサートは、好ましくは、コアンダ面のディフューザ部の少なくとも一部を覆う。インサートが複数の相互連結セクションを備える場合、各セクションはコアンダ面のディフューザ部のそれぞれの一部を覆うことができる。
【００１４】
多数の相互連結セクションを有するインサートを設ける代替案として、インサートは、該インサートがノズル内に配置される場合、マウス部から噴出される空気流によって、送風機の外側の空気がそこを通って引き込まれるボアを規定する表面を備えることができる。このインサートは、コアンダ面の環状部分、好ましくは、少なくともコアンダ面のディフューザ部、より好ましくは、コアンダ面のディフューザ部の実質的に全てを覆うことができる。インサートがノズル内に配置される場合、インサートのボアは、好ましくは、ノズルのボアと実質的に同軸である。ノズルの少なくとも１つの出口は、好ましくは、インサートのボアを通る一次空気流を案内するように構成されている。
【００１５】
インサートの表面は、好ましくは、軸線の周りに延び、その表面の少なくとも一部は、好ましくは、軸線に対して傾斜している。インサートの表面の軸線に対する傾斜は、好ましくは、コアンダ面のディフューザ部の傾斜とは異なる。この場合、ノズルのボア内にインサートを配置すると、合体空気流の流量及び速度を変更できる。例えば、インサートの表面の軸線に対する傾斜角が、コアンダ面のディフューザ部の軸線に対する傾斜角よりも浅い場合、インサートがノズル内に配置すると合体空気流の流量は低減するが、合体空気流の速度は高くなる。
【００１６】
インサートの実質的に全ての表面は、軸線に対して同じ大きさで傾斜できるので、表面は、円筒形又は切頭円錐形とすることができる。傾斜角は、−１５度から３５度の範囲とすることができる。代替的に、傾斜角は軸線の周りで変化することができる。軸線の周りの傾斜角の変化によって、インサートがノズルのボア内に配置される場合、送風機が発生する空気の流れは、非円筒形又は非切頭円錐形のプロフィールを有することができる。角度は、表面に沿って、つまり軸線の周りにおいて、少なくとも１つの最大値と少なくとも１つの最小値との間で変化することができる。好ましくは、角度は、表面に沿って、複数の最大値と複数の最小値との間で変化することができる。好ましい実施形態において、角度は、表面に沿って、６つの最大値と６つの最小値との間で変化することができる。最大値及び最小値は、好ましくは、軸線の周りに一定の間隔で離間される。最小値は−１５度から１５度の範囲とすることができるが、一方で最大値は２０度から３５度の範囲とすることができる。好ましい実施形態において、最大値は最小値の少なくとも２倍である。傾斜角は、軸線の周りで連続的に又は非連続的に変化することができる。
【００１７】
送風機は、ノズルのボア内に交換可能に配置できるインサートのセットを備えることができ、従って、第２の態様において、本発明は、ノズル及び該ノズルを通る一次空気流を生成する手段を備える送風機を提供し、ノズルは、一次空気流を噴出する少なくとも１つの出口を備え、ノズルは、少なくとも１つの出口から放出される一次空気流によって、送風機の外側の二次空気流がそこを通って引き込まれ、二次空気流が一次空気流と合体して合体空気流を生成するボアを規定し、送風機は、ノズルのボア内に交換可能に配置でき、合体空気流のパラメータの少なくとも１つを調節する複数のインサートを備え、各インサートはそれぞれ異なるプロフィールを有する。例えば、前述したように、インサートの１つは、複数の相互連結セクションを備えることができ、インサートの別の１つは、ノズルのマウス部から噴出される一次空気流によって二次空気流がそこを通って引き込まれボアを備えることができる。
【００１８】
少なくとも１つの出口は、好ましくは、ノズルのボアの周りに延びる。ノズルは、ボアの周りで連続する単一の出口を備えることができ、実質的に円形形状とすることができる。好ましくは、出口におけるノズルの対向する各表面の間の間隔は、好ましくは、０．５ｍｍから５ｍｍの範囲である。出口又は各出口は、好ましくは、スロットの形態とすることができる。
【００１９】
ノズルは、好ましくは、空気流を生成する手段を収容する基部の上に取り付けられる。好ましい実施形態において、ノズルを通る空気流を生成する手段はモータ式インペラを備える。
【００２０】
インサートは、送風機とは別に設けることができるので、第３の態様において、本発明は、一次空気流を噴出する少なくとも１つの出口と、少なくとも１つの出口から噴出される一次空気流によって送風機の外側の二次空気流がそこを通って引き込まれ、二次空気流が次空気流と合体して合体空気流を生成するボアとを有するノズルを備える送風機用付属品を提供し、付属品は、ノズルの上、好ましくはノズルのボア内に配置可能である。
【００２１】
前述のように、付属品は、合体空気流の少なくとも１つのパラメータを変更できる。しかしながら、付属品は、ユーザに代替的な又は追加的な恩恵をもたらすことができる。例えば、付属品は、送風機のノズルとは異なる色を有すること及び／又は送風機のノズルとは異なる材料から形成することできる。付属品は、発光性の材料から形成することができ、又は１つ又はそれ以上の発光ダイオード（ＬＥＤ）又は他の発光手段を備えることができる。付属品は、絵、写真、又は他のアイテムを支持するように構成できる。例えば、付属品は、文房具、お金、鍵、リモコン装置等の１つ又はそれ以上のアイテムを保持するハウジングを備えることができる。付属品は、ノズルの前端部にクリップ留めすることができる。付属品は、体温計、気圧計、カメラ、ディスプレイ、時計、ラジオ、又は他の電子デバイス又は機械デバイスを備えることができる。
【００２２】
第４の態様において、本発明は、ノズル及び該ノズルを通る空気流を生成する手段を備える送風機を提供し、ノズルは、内部通路と、該内部通路から空気流を受け入れる少なくとも１つの出口と、該少なくとも１つの出口に隣接して配置されかつその上に空気流を向けるように少なくとも１つの出口が配置されるコアンダ面とを備え、送風機は、コアンダ面の少なくとも一部を覆う取り外し可能なマスクを備える。
【００２３】
本発明の第１の態様に関連して前述した特徴は、本発明の第２から第４の態様にも同様に適用可能であり、逆も同じである。
以下に、例示的に本発明の好ましい特徴を添付の図面を参照して説明する。
【図面の簡単な説明】
【００２４】
【図１】送風機の上方から見た正面斜視図である。
【図２】送風機を通る側面断面図である。
【図３】送風機用のインサートを上方から見た正面斜視図である。
【図４】インサートがノズルボアに配置された送風機を上方から見た正面斜視図である。
【図５】図４の送風機の側面図である。
【図６】図４の送風機の上面図である。
【図７】図４の送風機の正面図である。
【図８】図７のラインＡ−Ａに沿った側面断面図である。
【図９】第２の送風機用インサートを上方から見た正面斜視図である。
【図１０】第２のインサートがノズルボアに配置された送風機を上方から見た正面斜視図である。
【図１１】第３の送風機用インサートを上方から見た正面斜視図である。
【図１２】第３のインサートがノズルボアに配置された送風機を上方から見た正面斜視図である。
【発明を実施するための形態】
【００２５】
図１は、送風機１０の外観図である。送風機１０は、一次空気流が送風機１０に流入する空気入口１４を有する本体１２と、該本体１２に取り付けられる環状ケーシングの形態のノズル１６とを含み、ノズルは、送風機１０から一次空気流を噴出するマウス部１８を備える。
【００２６】
本体１２は、実質的に円筒形の下側本体セクション２２上に取り付けられ、実質的に円筒形の主本体セクション２０を備える。主本体セクション２０及び下側本体セクション２２は、好ましくは、実質的に同じ外径を有し、上側の主本体セクション２０の外面は下側本体セクション２２の外面と実質的に面一になっている。本実施形態では、本体１２は、１００ｍｍから３００ｍｍの範囲の高さ、及び１００ｍｍから２００ｍｍの範囲の直径を有する。
【００２７】
主本体セクション２０は、一次空気流がそこを通って送風機１０に流入する空気入口１４を備える。本実施形態では、空気入口１４は、主本体セクション２０に形成された開口アレイを備える。代替的に、空気入口１４は、主本体セクション２０に形成された窓内に取り付けられる１つ又はそれ以上のグリル又はメッシュを備えることができる。主本体セクション２０は上端で開放されており（図示のように）、一次空気流が本体１２から排出される空気出口２３を提供するようになっている。
【００２８】
主本体セクション２０は、下側本体セクション２２に対して傾くことができ、一次空気流が送風機１０から噴出する方向を調節するようになっている。例えば、下側本体セクション２２の上面及び主本体セクション２０の下面は、主本体セクション２０の下側本体セクション２２から持ち上がるのを防止しながら、主本体セクション２０が下側本体セクション２２に対して移動することを可能にする、相互連結機構を備えることができる。例えば、下側本体セクション２２及び主本体セクション２０は、連動Ｌ字形部材を備えることができる。
【００２９】
下側本体セクション２２は、送風機１０のユーザインタフェースを備える。ユーザインタフェースは、ユーザが送風機１０の種々の機能を制御することを可能にする複数のユーザ操作可能ボタン２４、２６、ダイアル２８、並びにボタン２４、２６及びダイアル２８に接続されたユーザインタフェース制御回路３０を備える。下側本体セクション２２は、送風機１０が配置される表面と係合する基部３２上に取り付けられる。
【００３０】
図２は、送風機の本体の断面図である。下側本体セクション２２は、ユーザインタフェース制御回路３０に接続される、全体を符号３４で示す主制御回路を収容する。ユーザインタフェース制御回路３０は、ボタン２４、２６、及びダイアル２８の操作に応答して適切な信号を主制御回路３４に伝達し、送風機１０の様々な動作を制御するように構成されている。
【００３１】
また、下側本体セクション２２は、下側本体セクション２２を基部３２に対して周期的に往復させる、全体を符号３６で示す機構を収容する。往復機構３６の動作は、ボタン２６のユーザ操作に応答して主制御回路３４により制御される。基部３２に対する下側本体セクション２２の各往復サイクルの範囲は、好ましくは、６０度から１２０度であり、本実施形態では約８０度である。本実施形態では、往復機構３６は、毎分約３回から５回の往復サイクルを実行するように構成されている。送風機１０に電力を供給する主電源ケーブル３８は、基部３２に形成された開口を通って延びる。ケーブル３８は、主電力供給源への接続プラグ（図示せず）に接続されている。
【００３２】
主本体セクション２０は、一次空気流を空気入口１４から本体１２に引き込むインペラ４０を収容する。好ましくは、インペラ４０は、混成流インペラの形態である。インペラ４０は、モータ４４から外向きに延びる回転軸４２に連結されている。本実施形態では、モータ４４は、ダイアル２８のユーザ操作に応答して主制御回路３４により速度が可変とされたＤＣブラシレスモータである。モータ４４の最大速度は、好ましくは、５，０００ｒｐｍから１０，０００ｒｐｍの範囲にある。モータ４４は、下側部分４８に連結された上側部分４６を備えるモータバケットに収容されている。モータバケットの上側部分４６は、らせん状ブレードを有する固定ディスクの形態のディフューザ５０を備える。
【００３３】
モータバケットは、略切頭円錐状のインペラハウジング５２内に配置され、これに取り付けられている。次に、インペラハウジング５２は、基部１２の主本体セクション２０内に配置されてこれに連結された複数の角度的に離間した支持体５４、本実施例では３つの支持体に取り付けられる。インペラ４０及びインペラハウジング５２は、インペラ４０がインペラハウジング５２の内面に接近するが接触しないように形作られている。実質的に環状の入口部材５６は、インペラハウジング５２の底部に連結され、一次空気流をインペラハウジング５２に案内するようになっている。電気ケーブル５８は、主制御回路３４から、本体１２の主本体セクション２０及び下側本体セクション２２、並びにインペラハウジング５２及びモータバケットに形成された開口を通って、モータ４４へ延びている。
【００３４】
好ましくは、本体１２は、該本体１２からのノイズ放出を低減する消音発泡体を備える。本実施形態では、本体１２の主本体セクション２０は、空気入口１４の下に配置される第１の発泡部材６０と、モータバケット内に配置される第２の環状発泡部材６２とを備える。
【００３５】
可撓性シール部材６４は、インペラハウジング５２に取り付けられている。可撓性シール部材は、空気がインペラハウジング５２の外面の周りを通って入口部材５６へ移動することを防止する。シール部材６４は、好ましくはゴム製の環状リップシールを備えることが好ましい。更に、シール部材６４は、電気ケーブル５８をモータ４４へ案内するグロメットの形態のガイド部を備える。
【００３６】
図１に戻って、ノズル１６は、環状形状を有し、中心軸Ｘの周りに延びてボア７０を形成するようになっている。マウス部１８は、ノズル１６の後方に向けて配置され、一次空気流がボア７０を通って送風機１０の前方に噴出するように構成されている。マウス部１８はボア７０を取り囲んでいる。本実施例では、ノズル１６は、中心軸Ｘの周りに延びる略円形のボア７０を規定する。ノズル１６の最も内側の外面は、マウス部１８に隣接して配置されるコアンダ面７２を備え、マウス部１８は、送風機１０から噴出された空気がコアンダ面を向くように配置される。コアンダ面７２は、中心軸Ｘから離れるようにテーパ付けされるディフューザ部７４を備える。本実施例において、ディフューザ部７４は、軸線Ｘの回りに延びる略切頭円錐面の形態であり、軸線Ｘに対して５度から３５度の範囲、本実施例では約２８度だけ傾斜している。
【００３７】
ノズル１６は、環状の後部ケーシングセクション７８に連結され、この周りに延びる環状の前部ケーシングセクション７６を備える。ノズル１６の環状セクション７６、７８は、中心軸Ｘの周りに延びる。これらのセクションの各々は、複数の連結部品から形成することができるが、本実施形態では、前部ケーシングセクション７６及び後部ケーシングセクション７８の各々は、単一の成形部品から形成されている。後部ケーシングセクション７８は、本体１２の主本体セクション２０の開放した上端に連結される基部８０を備え、基部は、本体１２から一次空気流を受け入れる開放した下端を有する。
【００３８】
また、図２を参照すると、組立時、後部ケーシングセクション７８の前端部８２は、前部ケーシングセクション７６に設けられたスロット８４へ挿入される。前端部８２及びスロット８４の各々は、略円筒形状である。ケーシングセクション７６、７８は、スロット８４に導入された接着剤を使用して結合することができる。
【００３９】
前部ケーシングセクション７６は、ノズル１６のコアンダ面７２を規定する。前部ケーシングセクション７６及び後部ケーシングセクション７８は協働して、一次空気流をマウス１８へ送る内部通路８８を形成する。内部通路８８は、軸線Ｘの周りに延び、前部ケーシングセクション７６の内面９０及び後部ケーシングセクション７８の内面９２により境界付けされる。前部ケーシングセクション７６の基部８０は、一次空気流をノズル１６の内部通路８８へ送るように形作られている。
【００４０】
マウス部１８は、後部ケーシングセクション７８の内面９２と前部ケーシングセクション７６の外面９４のそれぞれの部分を重ねるか又は向かい合わせることにより形成される。マウス部１８は、好ましくは、環状スロットの形態の空気出口を備える。スロットは、好ましくは、形状が略円形であり、好ましくは、０．５ｍｍから５ｍｍの範囲の比較的一定の幅を有する。本実施例において、空気出口の幅は約１ｍｍである。スペーサはマウス部１８の周りに間隔を置いて配置することができ、前部ケーシングセクション７６及び後部ケーシングセクション７８のオーバーラップ部が離間するようにして、マウス部１８の空気出口の幅を制限するようになっている。これらのスペーサは、前部ケーシングセクション７６又は後部ケーシングセクション７８の何れかと一体化することができる。マウス部１８は、一次空気流を前部ケーシングセクション７６の外面９４上に向けるように形作られている。
【００４１】
送風機１０の作動に際し、ユーザはユーザインタフェースのボタン２４を押圧する。ユーザインタフェース制御回路３０は、この操作を主制御回路３４へ伝え、これに応答して、主制御回路３４は、モータ４４を駆動してインペラ４０を回転させる。インペラ４０の回転は、空気入口１４を通って本体１２内へ引き込まれる一次空気流を引き起こす。ユーザは、ユーザインタフェースのダイアル２８を操作することにより、モータ４４の速度、従って空気入口１４を通って本体１２内へ引き込まれる空気の割合を制御することができる。インペラ４０が発生する一次空気流は、モータ４４の速度に応じて、毎秒１０リットルと３０リットルの間とすることができる。一次空気流は、順にインペラハウジング５２及び主本体セクション２０の開放上端の空気出口２３を通過して、ノズル１６の内部通路８８に入る。本体１２の空気出口２３の一次空気流の圧力は、少なくとも１５０Ｐａとすることができ、好ましくは、３５０Ｐａから１．５ｋＰａの範囲とすることができる。
【００４２】
ノズル１６の内部通路８８内で、一次空気流は、ノズル１６のボア７０の周りを反対方向に流れる２つの空気ストリームに分流される。空気ストリームが内部通路８８を通る際に、空気は、マウス部１８から噴出される。マウス部１８から噴出される一次空気流は、ノズル１６のコアンダ面７２の上に向けられ、外部環境からの、特にマウス部１８の周りの領域からの及びノズル１６の後部の周りからの空気の同伴することにより、二次空気流が発生する。二次空気流は、ノズル１６のボア７０を通って流れ、そこで、二次空気流は一次空気流と合体して、ノズル１６から前方へ噴出される合体空気流又は総体空気流、或いは空気の流れを生成する。
【００４３】
図３から図８を参照すると、送風機１０は、ノズルのコアンダ面７２上に取り外し可能に配置でき合体空気流の少なくとも１つのパラメータを変更する、第１の実施例のマスク１００を含む。マスク１００は、ノズル１６のボア７０に挿入可能でノズル１６のコアンダ面７２の少なくとも一部を覆うインサートの形態である。コアンダ面７２のディフューザ部７４つまりボア７０は、ボア７０の開放前端部９６に向かって外向きにテーパ付けされるので、マスク１００は、ボア７０の開放前端部９６からノズル１６のボア７０に挿入される。マスク１００は、ボア７０の前端部９６に配置可能な外側環状リム１０２を含み、外側環状リム１０２は、マスク１００がノズル１６上に配置される場合、ノズル１６の前部ケーシングセクション７６の外面を取り囲む。本実施例において、マスク１００は、ノズル１６とマスク１００との間の締まりばめによってノズル１６上に保持されているが、ノズル１６は、マスク１００をノズル１６に対して取り外し可能に固定する手段を備えることができる。例えば、可動キャッチは、ノズル１６の前部ケーシングセクション７６の外面に配置して、マスク１００をノズル１６上に保持することができる。別の実施例として、マスク１００は、ノズル１６に対して磁気吸着することができる。更なる実施例として、マスク１００は、ノズル１６に対して摩擦結合することができる。
【００４４】
マスク１００を取り外すためには、ユーザは、マスク１００をノズル１６から引っ張るだけでよい。
【００４５】
マスク１００は、略環状形状である。マスクは、略円形の前端部１０４及び略円形の後端部１０６、並びにマスク１００の前端部１０４と後端部１０６との間にそれぞれ延びる環状外面１０８及び環状内面１１０を備える。図２を参照すると、マスク１００の外面１０８及び内面１１０の各々は、マスク１００がノズル１６のボア７０に挿入される場合、軸線Ｘと実質的に同軸の軸線Ｙの周りに延びる。マスク１００の外面１０８は、コアンダ面のディフューザ部７４とほぼ同じ寸法及び形状を有する。特に、外面１０８の軸線Ｙに対する傾斜角は、コアンダ面７２のディフューザ部７４の軸線Ｘに対する傾斜角と実質的に同じである。結果的に、図８に示すように、マスク１００がノズル１６のボア７０に挿入される場合、コアンダ面７２のディフューザ部７４は、マスク１００により完全に覆われるが、ノズル１６のマウス部１８は完全に露出したままである。
【００４６】
従って、図８に示すように、マスク１００がボア７０に挿入される場合、ノズル１６から噴出される一次空気流は、コアンダ面７２の後部セクション７３の上、及びマスクの内面１１０の上に向けられる。前述したように、マスク１００の内面１１０は円形形状なので、マスク１００の前端部１０４と後端部１０６との間でマスク１００を貫通するボア１１２を規定し、マウス１８から噴出される一次空気流によって、送風機１０の外側の二次空気流はボア１１２を通って引き込まれる。
【００４７】
従って、マスク１００の内面１１０は、送風機１０が発生する合体空気流を所望の方向に案内するディフューザ面を提供する。軸線Ｘに対する内面１１０の傾斜角は、軸線Ｙに対するコアンダ面７２のディフューザ部７４の傾斜角とは異なるので、マスク１００をノズル１６のボア７０に挿入すると、結果的に合体空気流の多くのパラメータが変更される。本実施例において、軸線Ｙに対する内面１１０の傾斜角は、軸線Ｘに対するコアンダ面７２のディフューザ部７４の傾斜角度よりも浅いので、マスク１００の半径方向厚さは、マスク１００の後端部１０６に向かって減少する。本実施例において、軸線Ｙに対する内面１１０の傾斜角は約１０度であり、ノズル１６のボア７０にマスク１００を挿入すると、送風機１０が生成する合体空気流のプロフィールを収縮させることにつながる。これにより、送風機１０の前方に位置するユーザに集中する合体空気流がもたらされる。また、マスク１００が提供する浅いディフューザ部は、合体空気流の速度を大きくして合体空気流の流量を低減することにつながる。
【００４８】
図９及び図１０は、ノズルのコアンダ面７２の上に取り外し可能に配置でき、合体空気流の少なくとも１つのパラメータを変更する第２の実施例のマスク１００を示す。マスク１００と同様に、マスク１２０は、ノズル１６のボア７０に挿入可能なインサートの形態であり、ノズル１６のコアンダ面７２の少なくとも一部を覆うようになっている。また、マスク１２０は、ボア７０の前端部９６に配置でき、マスク１００がノズル１６の上に配置される場合、ノズル１６の前部ケーシングセクション７６の外面を取り囲む外側環状リム１２２を含む。しかしながら、このマスク１２０は、前端部１２４、後端部１２６、外面１２８、及び内面１３０が連続的でない点でマスク１００とは異なっている。その代わり、マスク１２０は、環状リム１２２によって連結され、マスク１２０の軸線Ｙの周りに配置されてほぼ一定の間隔で離間される複数のセクション１３２を備える。本実施例において、マスク１２０は、該マスク１２０の周りに一定の間隔で離間される６つのセクション１３２を備える。各セクション１３２は、略くさび形である。各外面１２８は、コアンダ面７２のディフューザ部７４と軸線Ｘとの間の傾斜角と同じ角度で、軸線Ｙに向かってテーパ付けされているの、マスク１２０がノズル１６上に配置される場合、マスク１２０のセクション１３２はコアンダ面７２のディフューザ部７４を部分的に覆う。マスク１００の内面１１０と同様に、軸線Ｙに対する内面１３０の傾斜角は、軸線Ｘに対するコアンダ面７２のディフューザ部７４の傾斜角よりも浅いので、セクション１３２の半径方向厚さは、セクション１３０の後端部１２６に向かって減少する。本実施例では、軸線Ｙに対する内面１３０の傾斜角は同様に約１０度である。
【００４９】
従って、図９に示すように、マスク１２０が、ボア７０の開放前端部９６を通ってノズル１６に挿入される場合、ノズル１６のボア１３４は、コアンダ面７２のディフューザ部７４の覆われていないセクション及びマスク１２０の内面１３０の両方により規定される。従って、ノズル１２６のボア１３４は、段付きプロフィールを有し、軸線Ｘに対するボア１３４の傾斜角は、本実施例では各々が約２８度である複数の最大値と、本実施例では各々が約１０度である複数の最小値との間で変化する。このノズル１６のボア１３４のプロフィールの変動により、合体空気流は、マスク１２０の非連続性によって、ユーザに部分的にのみ集束する非円形又は非切頭円錐形のプロフィールを有することになる。
【００５０】
第２の実施例において、マスク１２０をノズル１６に挿入すると、段付きプロフィールを採用するノズル１６のボア１３４がもたらされる。図１１及び図１２は、第３の実施例のマスク１４０を示す。マスク１４０はマスク１００と類似している。また、マスク１４０はインサートの形態であり、ノズル１６のボア７０に挿入可能でノズル１６のコアンダ面７２の少なくとも一部を覆うようになっている。また、マスク１４０は、ボア７０の前端部９６に配置できる外側環状リム１４２を含み、マスク１４０がノズル１６上に配置される場合、ノズル１６の前部ケーシングセクション７６の外面を取り囲む。また、マスク１４０は、連続的な前端部１４４及び円形の後端部１４６、環状外面１４８、及びボア１５２を規定する環状内面１１０を備える。マスク１４０の外面１４８は、マスク１００の外面１０８と同一である。しかしながら、マスク１４０の内面１５０は、軸線Ｙに対するマスク１５４の内面１５０の傾斜角が軸線Ｙの周りで変化する点でマスク１００の内面１１０とは異なる。この傾斜角は、軸線Ｙの周りで一定の間隔で離間される複数の最大値と複数の最小値との間で変化する。内面１５０は、傾斜角が軸線Ｙの周りで複数の最大値と複数の最小値との間で徐々に変化するように形作られている。
【００５１】
従って、マスク１４０がノズル１６のボア７０に挿入されると、マスク１４０の内面１５０は、同様に送風機１０が発生する合体空気流を所望の方向へ案内するディフューザ表面を提供し、非円形又は非切頭円錐形のプロフィールをもたらす。また、マスク１２０と同様に、マスク１４０はノズル１６に対して回転可能であり、送風機１０が発生する合体空気流の向きを変更するようになっている。
【図１】
2013545008.tif 000003
【図２】
2013545008.tif 000004
【図３】
2013545008.tif 000005
【図４】
2013545008.tif 000006
【図５】
2013545008.tif 000007
【図６】
2013545008.tif 000008
【図７】
2013545008.tif 000009
【図８】
2013545008.tif 000010
【図９】
2013545008.tif 000011
【図１０】
2013545008.tif 000012
【図１１】
2013545008.tif 000013
【図１２】
2013545008.tif 000014
【国際調査報告】
2013545008.tif 000015
2013545008.tif 000016
2013545008.tif 000017
2013545008.tif 000018
2013545008.tif 000019